(57)【特許請求の範囲】
【請求項１】
先軸と中軸の先方を互いに回転不能且つ抜け止め状態に嵌着する係合部を夫々設けて両者を固定し、中軸に一体化したガイド筒とガイド筒の複数の案内溝に、夫々ボールペン筆記体をガイド筒と摺動コマとの間にリターンスプリングを附勢して前後動自在に嵌装し、軸方向に変位するカム斜面を前端部に円周状に設けた円筒カムをガイド筒又は中軸に対し回転可能に抜け止めし、各摺動コマをカム斜面に当接させることにより先軸又は中軸に対する円筒カムの回転によって交互に前後動させて、各ボールペン筆記体の先端を先軸の先端口から選択的に出没可能とした複式筆記具に於いて、上記円筒カムの後方外周に一体的に後軸が設けられ、後軸の後端に印鑑が止着されて、後軸の外周部に後端閉塞状の万年筆形の長いキャップが印鑑の外周に非接触状態で着脱可能に固定されたことを特徴とする印鑑付筆記具。
【請求項２】
先軸と、ガイド筒を一体に形成した中軸を夫々樹脂成形品と成し、更に中軸の後端近傍の周面に周溝を穿設して、周溝に円筒カムの周面に形成した突起を弾性的に嵌入させて、中軸に対し円筒カムが適宜範囲で回動可能に抜け止めされてなる上記請求項１記載の印鑑付筆記具。
【請求項３】
後軸は、前端にカム斜面を有した円筒カムと、円筒カムの後方に印鑑を固定する内筒部と、円筒カムの外周に接続した外筒部とが夫々一体の樹脂成形品で構成され、更に外筒部の前端にキャップの前端が当接する鍔部が設けられ、また更に後軸とキャップを固定する係合部が外筒部の外周部とキャップの内周部との相互間に設けられて成る上記請求項１記載の印鑑付筆記具。
【発明の詳細な説明】
【０００１】
【産業上の利用分野】
本発明は、複数の筆記体の先端を先軸先端口に於いて交互に出没自在とし、且つ後軸の後端に印鑑を取付けた所謂印鑑付筆記具の改良に関する。
【０００２】
【従来の技術】
従来、複式筆記具の一例としては、同出願人による実開昭６４ー３４９１号公報に見られるように、２本の筆記体を案内する摺動溝を有して先軸に対し固着されるガイド筒と、当該ガイド筒に嵌装される二本の筆記体に取付けられた摺動コマに接するカム斜面を前端部に有すると共に、後端はノック部となして後軸に対し軸方向に移動自在に、且つ円周方向の回転は一体となるよう装着された円筒カムを備え、先軸に対する後軸の回転操作により二本の筆記体を先軸先端口に於いて選択的に出没可能とした複式筆記具が存在する。又、後軸の後端に印鑑を取付け、印鑑の外周に印面を被覆してノックカバーを取付けたものは周知である。
又、従来のこの種の印鑑付筆記具は、先軸径に対し後軸の印鑑取付け部径が極端に膨出した大径に成されており体裁が悪い。
【０００３】
【発明が解決しようとする課題】
従来例の印鑑付筆記具は体裁が悪く、又、キャップと印鑑外周との係合が強すぎるとキャップの着脱で印鑑が外れる問題がある。又、キャップが小さい為にキャップの着脱で指を汚したり紛失し易い問題が存在する。
本発明の目的は上記のような問題を解決することにある。
【０００４】
【課題を解決するための手段】
上記の課題を解決する為に本発明の印鑑付筆記具は、先軸と中軸の先方を互いに回転不能且つ抜け止め状態に嵌着する係合部を夫々設けて両者を固定したこと。中軸に一体化したガイド筒とガイド筒の複数の案内溝に、夫々ボールペン筆記体をガイド筒と摺動コマとの間にリターンスプリングを附勢して前後動自在に嵌装し、軸方向に変位するカム斜面を前端部に円周状に設けた円筒カムをガイド筒又は中軸に対し回転可能に抜け止めし、各摺動コマをカム斜面に当接させることにより先軸又は中軸に対する円筒カムの回転によって交互に前後動させて、各ボールペン筆記体の先端を先軸の先端口から選択的に出没可能としたこと。又、円筒カムの後方外周に一体的に後軸が設けられ、後軸の後端に印鑑が止着されて、後軸の外周部に後端閉塞状の万年筆形の長いキャップが印鑑の外周に非接触状態で着脱可能に固定されたことである。
【０００５】
【実施例】
先ず、図１及び図４は本発明の実施例を示している。本発明の印鑑付筆記具はガイド筒２を一体に備えた中軸１、先軸３、円筒カム５を一体に備えた後軸４、一対の摺動コマ６、６｀、ボールペン筆記体７、７｀、印鑑２９、キャップ３７を主な構成要素とする。先ず、中軸１は樹脂製で、図１に示すように、略中央部から後端まで側面に開口した軸方向に長い案内溝８とそれと反対側の側面に同様の案内溝８｀を有したガイド筒２が設けられている。ガイド筒２の前半部には各案内溝８、８｀と連通して孔２４、２４｀を有した仕切り部１４を備えて前端を開口した筒部９が設けられ、筒部９の後端に段部２３を有して前方の外周部に膨出状の係合部１１が形成されている。
【０００６】
又、中軸１の後方側面には図２に示すように縦溝１６が先方の傾斜面１６ａを介して巾狭部１６ｂが周溝１７に接続されて略逆Ｔの字状の窓部が穿設されている。又、後述するが、円筒カム５の突起１５は縦溝１６より挿入され、突起１５が傾斜面１６ａを弾性的に拡開して巾狭部１６ｂを通過して周溝１７内に入る。  円筒カム５は、突起１５が周溝１７の周方向の後壁１７ｂに当接しながら回転して、ボールペン筆記体７又はボールペン筆記体７｀の筆記先端部が先軸先端口から交互に出没することになる。ところで、突起１５の前端が周溝１７の前壁１７ａで前進阻止されるので円筒カム５は中軸１に対し軸推移しない。又、後端側からの落下衝撃で突起１５が破損する危険がある場合には、前壁１７ａと突起１５の前端との間に隙間を設けて中軸１の後端に後軸４の壁１８が当接する状態で突起１５の前端が前壁１７ａに当接しないように成せばよい。（図示せず）
【０００７】
先軸３は、前方が先細状で、内孔部先端には筆記先端部が出没する先端口が設けられている。又、後端孔には、前記ガイド筒前方の筒部９の外周部に設けられた係合部１１と迎合して筒部９と抜け止め且つ回転止めされる係合溝１０が設けられている。尚、筒部９と先軸３は適宜な力で着脱可能に固定される。（実開昭６４ー３４９１号公報の先軸の構成と同じ）
尚、ボールペン筆記体７、７｀を交換する際には、中軸１に対し先軸３を引き抜くが、後述する後軸４とキャップ３７の着脱との関係から操作を単純化する為に筒部９と先軸３の後端孔との接合は螺子とするのが望ましいと言える。
【０００８】
後軸４は樹脂製で、先端に円筒カム５を一体に有している。円筒カム５は筒状を成し、前端縁に円周状に前後に変位するカム斜面１２を有し、カム斜面１２の最前端部には切欠１３が形成されている。又、円筒カム５の側面には前記中軸１の縦溝１６に挿入して弾性的に周溝１７に嵌入して一定範囲（略１８０度）で回転且つ抜け止めする突起１５が形成されている。
【０００９】
又、後軸４は前記円筒カム５の後方に壁１８で接続されて一体となった前側の外筒部２６と後側の外筒部２６｀が設けられ、外筒部２６｀の内側には上記円筒カム５の後方に延設して外周部にスリ割り２５｀を有した内筒部２５が設けられている。又、外筒部２６の前端には後述するキャップ３７の前端を当接する鍔部２７が形成され、又外周部にはキャップ３７の内周部と係合する係合部２８が形成されている。
【００１０】
尚、キャップ３７を樹脂製とすれば前記係合部２８は凹凸状の係合部、リブ等の摩擦係合、螺子等が選択可能である。キャップ３７を金属製とすれば外筒部２６の外周に金属製の筒体を固着して、その筒体の周面にリブ状の係合部を設けるか、キャップ３７の内周部に係合部を有したカツラを設置する等種々の手段が選択される。
【００１１】
又、前記内筒部２５には印鑑２９の取付け台３２が着脱可能に嵌着される。又、前記外筒部２６の外周に印鑑２９の外周部に非接触状態で後端閉塞状のキャップ３７が嵌挿され、キャップ３７の前端が鍔部２７に当接し、前記係合部２８でキャップ３７は着脱可能に固定される。
又、印鑑２９を構成する印字体３０はインクを吸蔵可能とした連続多孔性のゴム等の印材よりなり、捺印可能な印面３１を有している。
【００１２】
又、摺動コマ６、６｀は、外面に突起２０、２０｀を有して、突起２０、２０｀の後端面には中央部が突出してその両側が前述した円筒カム５のカム斜面１２と略同勾配のカム斜面を有している。又、先端にはボールペン筆記体７、７｀の後端を止着する係止部２１、２１｀が設けられている。尚、係止部はパイプ状に成して筆記体の後端を嵌着することも可能である。
【００１３】
次に、組立順序で説明すると、ボールペン筆記体７、７｀は後端に夫々の摺動コマ６、６｀を接続させて、前述の中軸のガイド筒２の各案内溝８、８｀に移動自在に嵌装され、各摺動コマ６、６｀の前端面と案内溝８、８｀前面の仕切り部１４との間に介装したリターンスプリング２２、２２｀により後方へ附勢される。
【００１４】
後軸４は円筒カム５を中軸１の後端孔に挿入して突起１５を周溝１７に弾性的に嵌入させて、中軸１に対して円周方向に略１８０度で回転自在且つ抜け止めして止着される。又、各摺動コマ６、６｀は常時リターンスプリング２２、２２｀によって後方へ附勢されているので、常にその突起２０、２０｀のカム斜面を円筒カム５のカム斜面１２に接触した状態を保っている。
尚、実施例とは別に、円筒カムの内孔に鍔状の突部を設け、ガイド筒の後端外周に周溝を設けて、周溝に突部を弾性的に嵌入させて、円筒カムをガイド筒に対し回転自在で抜け止めするように構成することも可能である。
【００１５】
又、中軸１の段部２３の前面に先軸３の後端面が当接状態で、筒部９の係合部１１が先軸３の係合溝１０に弾性的に嵌着して、先軸３と中軸１が回転止め且つ抜け止め状態に固定される。尚、先軸３は適宜な力で着脱可能になっている。
【００１６】
後軸４の内筒部２５に印鑑２９が印面３１を後方に向けて止着され、外筒部２６にキャップ３７が固定される。
この状態で、先軸３又は中軸１に対してキャップ３７を一方に回転すると、摺動コマ６が前進して円筒カム５のカム斜面１２の最前端の切欠１３が一方のボールペン筆記体７の摺動コマ６の突起２０に係止して筆記先端部が先軸先端口から突出状態になる。又、先軸３又は中軸１に対してキャップ３７を他方に回転すると、摺動コマ６が後退してボールペン筆記体７の筆記先端部が先軸先端口から没入すると共に、摺動コマ６｀が前進して他方のボールペン筆記体７｀の筆記先端部が先軸先端口から突出する。
【００１７】
又、図３及び図４は円筒カムの突起１５と中軸１｀の係合状態を示す他の対応例を示している。この場合には周溝４３に突起１５を嵌装する手段として、中軸１｀の後端から突起１５を嵌装するガイド溝４６の上壁に傾斜面４５を有した仕切り壁４４を設けている。仕切り壁４４を設けた理由は、上記係合部に於ける中軸１｀の剛性を強化することにある。
【００１８】
【作用】
先軸３又は中軸１に対してキャップ４を一方に回転すると、図１に示すように円筒カム５のカム斜面１２の先端に設けた切欠１３が一方のボールペン筆記体７の摺動コマ６と係合してその筆記先端部を先軸先端口から突出する。この時、円筒カム５の突起１５は中軸１の周溝１７で図２に示す左端に位置している。
又、先軸３又は中軸１に対してキャップ４を他方に回転するとボールペン筆記体７が後退し、代わりにボールペン筆記体７｀の筆記先端部が先軸先端口から突出する。この時、円筒カム５の突起１５は中軸１の図２に示す周溝１７で右端に位置する。
次に、後軸４からキャップ３７を外すと印鑑２９の印面３１が露出するので、後軸４の外周部を掴んで印面３１を下に向けて捺印する。尚、キャップ３７はその着脱で印鑑２９の外周部に非接触状態にあるので不用意に印鑑２９が後軸４から外れることはない。
【００１９】
【発明の効果】
本発明は以上のように、キャップが印鑑の外周に非接触状態で後軸に固定されるので、不用意に印鑑が外れる問題が解消される。
又、万年筆形の長いキャップを装着するので体裁が良く、キャップの着脱で指を汚したり、紛失してしまう問題が解消される。
又、円筒カムの後方に一体的に樹脂製の後軸が設けられ、又、樹脂製の中軸ににガイド筒が一体的に設けられて成るので、部品が省略されると共に組立てが簡単となりコストが低減される
【図面の簡単な説明】
【図１】本発明の実施例を示す全体の縦断面図で、一部非断面となっている。
【図２】円筒カムの突起と中軸の周溝との係合状態を示す説明図である。
【図３】円筒カムの突起と中軸の周溝との係合状態の他の対応例を示す説明図である。
【図４】図３に於ける係合部の要部断面図である。
【符号の説明】
１  中軸
１｀  中軸
２  ガイド筒
３  先軸
４  後軸
５  円筒カム
６  摺動コマ
６｀  摺動コマ
７  ボールペン筆記体
７｀  ボールペン筆記体
８  案内溝
８｀  案内溝
９  筒部
１０  係合部
１１  係合部
１２  カム斜面
１３  切欠
１４  仕切り部
１５  突起
１６  縦溝
１６ａ  傾斜面
１６ｂ  巾狭部
１７  周溝
１７ａ  前壁
１７ｂ  後壁
１８  壁
１９  窓
２０  突起
２０｀  突起
２１  係止部
２１｀  係止部
２２  リターンスプリング
２２｀  リターンスプリング
２３  段部
２４  孔
２４｀  孔
２５  内筒部
２５｀  スリ割り
２６  外筒部
２６｀  外筒部
２７  鍔部
２８  係合部
２９  印鑑
３０  印字体
３１  印面
３２  取付け台
３３  鍔部
３４  後軸部
３５  前軸部
３６  カバー
３７  キャップ
３８  天冠
３９  クリップ
４０  継ぎ手
４１  スペーサー
４２  固定金具
４３  周溝
４３ａ  前壁
４３ｂ  後壁
４４  仕切り壁
４５  傾斜面
４６  ガイド溝
【図１】
0003633952.tif 000002
【図２】
0003633952.tif 000003
【図３】
0003633952.tif 000004
【図４】
0003633952.tif 000005